(57)【要約】  本願は、フレーム構造の配置方法、ネットワーク側機器および端末を提供し、従来のフレーム構造を変更することによって、通信システムにおいて、アップリンク／ダウンリンクサービスのリクエストに適応するために、アップリンク／ダウンリンク伝送リソースが柔軟に調整され、１つまたは複数の特定アップリンク／ダウンリンク配置およびＧＰ配置に制限されなくなる。前記フレーム構造の配置方法において、ネットワーク側が第１周期および第１指示情報を特定することを含む。前記第１周期は、搬送波に対して配置されたフレーム周期またはアップリンク伝送の発生周期である。前記第１指示情報は、アップリンク伝送に利用可能な時間領域伝送リソースが前記第１周期内に存在するかを指示し、そして存在する場合、前記アップリンク伝送に利用可能な時間領域伝送リソースの位置を指示することに用いられる。
2019531622.tif 000002
【特許請求の範囲】
【請求項１】
搬送波に対して配置されたフレーム周期またはアップリンク伝送の発生周期である第１周期の配置情報、および、アップリンク伝送に利用可能な時間領域伝送リソースが前記第１周期内に存在するかを指示し、そして存在する場合、前記アップリンク伝送に利用可能な時間領域伝送リソースの位置を指示することに用いられる第１指示情報を、ネットワーク側から放送情報によって端末に送信することを含むフレーム構造の配置方法。
【請求項２】
前記第１指示情報は、さらに、前記第１周期の時間領域リソースの全てがアップリンク伝送に利用可能であると指示ことに用いられる請求項１に記載の方法。
【請求項３】
前記第１指示情報に変化が生じる前に、前記アップリンク伝送に利用可能な時間領域伝送リソースは、全てアップリンク伝送のみに用いられる請求項１に記載の方法。
【請求項４】
前記第１周期は、１つまたは複数のシンボルを含む時間領域伝送粒度を複数含む請求項１に記載の方法。
【請求項５】
アップリンク伝送に利用可能な時間領域伝送リソースが前記第１周期内に存在する場合、前記第１周期は、最多で１つの伝送方向のスイッチポイントを含み、かつ前記スイッチポイントの切り替え方向として、ダウンリンク伝送からアップリンク伝送に切り替えられる請求項４に記載の方法。
【請求項６】
連続Ｎ個の前記第１周期で、前記スイッチポイントまたは前記アップリンク伝送に利用可能な時間領域伝送リソースの前記第１周期内の位置は、同一である請求項５に記載の方法。
【請求項７】
前記第１周期内にダウンリンク伝送が存在する場合、第１時間領域伝送粒度は、ダウンリンク伝送に用いられる時間領域伝送粒度であり、かつ第１時間領域粒度には、同期信号の伝送に用いられる伝送リソースを含み、前記第１時間領域伝送粒度は、前記第１周期内の１つ目の時間領域伝送粒度である請求項５に記載の方法。
【請求項８】
前記第１周期内で、前記第１時間領域伝送粒度の終了時刻からアップリンク伝送の開始時刻までの時間領域伝送リソースは、ダウンリンク伝送リソース、アイドル伝送リソースおよびアップリンク／ダウンリンクガード区間のうちの少なくとも１つを含む請求項７に記載の方法。
【請求項９】
前記第１周期のうち、前記第１時間領域伝送粒度とアップリンク伝送に利用可能な時間領域伝送リソースを除いた他の時間領域伝送リソースがダウンリンク伝送に用いられるかを指示することに用いられる第２指示情報を、ネットワーク側から専用シグナリングによって端末に送信することをさらに含む請求項７に記載の方法。
【請求項１０】
前記第２指示情報は、具体的に、前記他の時間領域伝送リソースのうち、ダウンリンク伝送に用いられる時間領域伝送リソースの絶対的時間領域位置情報または相対的時間領域位置情報を指示することに用いられ、
前記絶対的時間領域位置情報は、時間領域伝送粒度の番号、シンボル番号、または、時間領域伝送粒度の番号とシンボル番号との組み合わせであり、
前記相対的時間領域位置情報は、所定の時間領域位置からのオフセットである請求項９に記載の方法。
【請求項１１】
端末が、ネットワーク側から放送情報によって送信される第１周期の配置情報および第１指示情報を受信することと、
端末が、搬送波に対して配置されたフレーム周期またはアップリンク伝送の発生周期である前記第１周期の配置情報、およびアップリンク伝送に利用可能な時間領域伝送リソースが前記第１周期内に存在するかを指示し、そして存在する場合、前記アップリンク伝送に利用可能な時間領域伝送リソースの位置を指示することに用いられる前記第１指示情報に基づいて、アップリンク伝送に利用可能な時間領域伝送リソースがあるかを特定し、またはアップリンク伝送に利用可能な時間領域伝送リソースの位置を特定することとを含むフレーム構造の配置方法。
【請求項１２】
前記第１指示情報は、さらに、前記第１周期の時間領域リソースの全てがアップリンク伝送に利用可能であると指示ことに用いられる請求項１１に記載の方法。
【請求項１３】
前記第１指示情報に変化が生じる前に、前記アップリンク伝送に利用可能な時間領域伝送リソースは、全てアップリンク伝送のみに用いられる請求項１１に記載の方法。
【請求項１４】
前記第１周期は、１つまたは複数のシンボルを含む時間領域伝送粒度を複数含む請求項１１に記載の方法。
【請求項１５】
アップリンク伝送に利用可能な時間領域伝送リソースが前記第１周期内に存在する場合、前記第１周期は、最多で１つの伝送方向のスイッチポイントを含み、かつ前記スイッチポイントの切り替え方向として、ダウンリンク伝送からアップリンク伝送に切り替えられる請求項１４に記載の方法。
【請求項１６】
連続Ｎ個の前記第１周期で、前記スイッチポイントまたは前記アップリンク伝送に利用可能な時間領域伝送リソースの前記第１周期内の位置は、同一である請求項１５に記載の方法。
【請求項１７】
前記第１周期内にダウンリンク伝送が存在する場合、第１時間領域伝送粒度は、ダウンリンク伝送に用いられる時間領域伝送粒度であり、かつ第１時間領域粒度には、同期信号の伝送に用いられる伝送リソースを含み、前記第１時間領域伝送粒度は、前記第１周期内の１つ目の時間領域伝送粒度である請求項１５に記載の方法。
【請求項１８】
前記第１周期内で、前記第１時間領域伝送粒度の終了時刻からアップリンク伝送の開始時刻までの時間領域伝送リソースは、ダウンリンク伝送リソース、アイドル伝送リソースおよびアップリンク／ダウンリンクガード区間のうちの少なくとも１つを含む請求項１７に記載の方法。
【請求項１９】
前記端末が、ネットワーク側から専用シグナリングによって送信される第２指示情報を受信することと、
前記端末が、前記第１周期のうち、前記第１時間領域伝送粒度を除いた他の時間領域伝送リソースがダウンリンク伝送に用いられるかを指示することに用いられる前記第２指示情報に基づいて、ダウンリンク伝送に用いられる時間領域伝送リソースを特定し、前記ダウンリンク伝送に用いられる時間領域伝送リソースで伝送される情報を受信することとをさらに含む請求項１７に記載の方法。
【請求項２０】
前記第２指示情報は、具体的に、前記他の時間領域伝送リソースのうち、ダウンリンク伝送に用いられる時間領域伝送リソースの絶対的時間領域位置情報または相対的時間領域位置情報を指示することに用いられ、
前記絶対的時間領域位置情報は、時間領域伝送粒度の番号、シンボル番号、または、時間領域伝送粒度の番号とシンボル番号との組み合わせであり、
前記相対的時間領域位置情報は、所定の時間領域位置からのオフセットである請求項１９に記載の方法。
【請求項２１】
搬送波に対して配置されたフレーム周期またはアップリンク伝送の発生周期である第１周期の配置情報、および、アップリンク伝送に利用可能な時間領域伝送リソースが前記第１周期内に存在するかを指示し、そして存在する場合、前記アップリンク伝送に利用可能な時間領域伝送リソースの位置を指示することに用いられる第１指示情報を、放送情報によって端末に送信することに用いられる第１送信ユニットを含むネットワーク側機器。
【請求項２２】
前記第１指示情報は、さらに、前記第１周期の時間領域リソースの全てがアップリンク伝送に利用可能であると指示ことに用いられる請求項２１に記載のネットワーク側機器。
【請求項２３】
前記第１指示情報に変化が生じる前に、前記アップリンク伝送に利用可能な時間領域伝送リソースは、全てアップリンク伝送のみに用いられる請求項２１に記載のネットワーク側機器。
【請求項２４】
前記第１周期は、１つまたは複数のシンボルを含む時間領域伝送粒度を複数含む請求項２１に記載のネットワーク側機器。
【請求項２５】
アップリンク伝送に利用可能な時間領域伝送リソースが前記第１周期内に存在する場合、前記第１周期は、最多で１つの伝送方向のスイッチポイントを含み、かつ前記スイッチポイントの切り替え方向として、ダウンリンク伝送からアップリンク伝送に切り替えられる請求項２４に記載のネットワーク側機器。
【請求項２６】
連続Ｎ個の前記第１周期で、前記スイッチポイントまたは前記アップリンク伝送に利用可能な時間領域伝送リソースの前記第１周期内の位置は、同一である請求項２５に記載のネットワーク側機器。
【請求項２７】
前記第１周期内にダウンリンク伝送が存在する場合、第１時間領域伝送粒度は、ダウンリンク伝送に用いられる時間領域伝送粒度であり、かつ第１時間領域粒度には、同期信号の伝送に用いられる伝送リソースを含み、前記第１時間領域伝送粒度は、前記第１周期内の１つ目の時間領域伝送粒度である請求項２５に記載のネットワーク側機器。
【請求項２８】
前記第１周期内で、前記第１時間領域伝送粒度の終了時刻からアップリンク伝送の開始時刻までの時間領域伝送リソースは、ダウンリンク伝送リソース、アイドル伝送リソースおよびアップリンク／ダウンリンクガード区間のうちの少なくとも１つを含む請求項２７に記載のネットワーク側機器。
【請求項２９】
前記第１周期のうち、前記第１時間領域伝送粒度とアップリンク伝送に利用可能な時間領域伝送リソースを除いた他の時間領域伝送リソースがダウンリンク伝送に用いられるかを指示することに用いられる第２指示情報を、専用シグナリングによって端末に送信することに用いられる第２送信ユニットをさらに含む請求項２７に記載のネットワーク側機器。
【請求項３０】
前記第２指示情報は、具体的に、前記他の時間領域伝送リソースのうち、ダウンリンク伝送に用いられる時間領域伝送リソースの絶対的時間領域位置情報または相対的時間領域位置情報を指示することに用いられ、
前記絶対的時間領域位置情報は、時間領域伝送粒度の番号、シンボル番号、または、時間領域伝送粒度の番号とシンボル番号との組み合わせであり、
前記相対的時間領域位置情報は、所定の時間領域位置からのオフセットである請求項２９に記載のネットワーク側機器。
【請求項３１】
ネットワーク側から放送情報によって送信される第１周期の配置情報および第１指示情報を受信することに用いられる第１受信ユニットと、
搬送波に対して配置されたフレーム周期またはアップリンク伝送の発生周期である前記第１周期の配置情報、およびアップリンク伝送に利用可能な時間領域伝送リソースが前記第１周期内に存在するかを指示し、そして存在する場合、前記アップリンク伝送に利用可能な時間領域伝送リソースの位置を指示することに用いられる前記第１指示情報に基づいて、アップリンク伝送に利用可能な時間領域伝送リソースがあるかを特定し、またはアップリンク伝送に利用可能な時間領域伝送リソースの位置を特定することに用いられる第１特定ユニットとを含む端末。
【請求項３２】
前記第１指示情報は、さらに、前記第１周期の時間領域リソースの全てがアップリンク伝送に利用可能であると指示ことに用いられる請求項３１に記載の端末。
【請求項３３】
前記第１指示情報に変化が生じる前に、前記アップリンク伝送に利用可能な時間領域伝送リソースは、全てアップリンク伝送のみに用いられる請求項３１に記載の端末。
【請求項３４】
前記第１周期は、１つまたは複数のシンボルを含む時間領域伝送粒度を複数含む請求項３１に記載の端末。
【請求項３５】
アップリンク伝送に利用可能な時間領域伝送リソースが前記第１周期内に存在する場合、前記第１周期は、最多で１つの伝送方向のスイッチポイントを含み、かつ前記スイッチポイントの切り替え方向として、ダウンリンク伝送からアップリンク伝送に切り替えられる請求項３４に記載の端末。
【請求項３６】
連続Ｎ個の前記第１周期で、前記スイッチポイントまたは前記アップリンク伝送に利用可能な時間領域伝送リソースの前記第１周期内の位置は、同一である請求項３５に記載の端末。
【請求項３７】
前記第１周期内にダウンリンク伝送が存在する場合、第１時間領域伝送粒度は、ダウンリンク伝送に用いられる時間領域伝送粒度であり、かつ第１時間領域粒度には、同期信号の伝送に用いられる伝送リソースを含み、前記第１時間領域伝送粒度は、前記第１周期内の１つ目の時間領域伝送粒度である請求項３５に記載の端末。
【請求項３８】
前記第１周期内で、前記第１時間領域伝送粒度の終了時刻からアップリンク伝送の開始時刻までの時間領域伝送リソースは、ダウンリンク伝送リソース、アイドル伝送リソースおよびアップリンク／ダウンリンクガード区間のうちの少なくとも１つを含む請求項３７に記載の端末。
【請求項３９】
ネットワーク側から専用シグナリングによって送信される第２指示情報を受信することに用いられる第２受信ユニットと、
前記第１周期のうち、前記第１時間領域伝送粒度を除いた他の時間領域伝送リソースがダウンリンク伝送に用いられるかを指示することに用いられる前記第２指示情報に基づいて、ダウンリンク伝送に用いられる時間領域伝送リソースを特定し、前記ダウンリンク伝送に用いられる時間領域伝送リソースで伝送される情報を受信することに用いられる第２特定ユニットとをさらに含む請求項３７に記載の端末。
【請求項４０】
前記第２指示情報は、具体的に、前記他の時間領域伝送リソースのうち、ダウンリンク伝送に用いられる時間領域伝送リソースの絶対的時間領域位置情報または相対的時間領域位置情報を指示することに用いられ、
前記絶対的時間領域位置情報は、時間領域伝送粒度の番号、シンボル番号、または、時間領域伝送粒度の番号とシンボル番号との組み合わせであり、
前記相対的時間領域位置情報は、所定の時間領域位置からのオフセットである請求項３９に記載の端末。
【請求項４１】
プロセッサと、メモリと、送信機を含むネットワーク側機器において、
前記プロセッサは、前記メモリに格納されているプログラムまたはデータを呼び出して実行することによって、
搬送波に対して配置されたフレーム周期またはアップリンク伝送の発生周期である第１周期の配置情報、および、アップリンク伝送に利用可能な時間領域伝送リソースが前記第１周期内に存在するかを指示し、そして存在する場合、前記アップリンク伝送に利用可能な時間領域伝送リソースの位置を指示することに用いられる第１指示情報を生成することに用いられ、
送信機は、前記第１周期の配置情報および前記第１指示情報を放送情報によって端末に送信することに用いられるネットワーク側機器。
【請求項４２】
プロセッサと、メモリと、受信機を含む端末において、
前記受信機は、ネットワーク側機器から放送情報によって送信される第１周期の配置情報および第１指示情報を受信することに用いられ、
前記第１周期は、搬送波に対して配置されたフレーム周期またはアップリンク伝送の発生周期であり、
前記第１指示情報は、アップリンク伝送に利用可能な時間領域伝送リソースが前記第１周期内に存在するかを指示し、そして存在する場合、前記アップリンク伝送に利用可能な時間領域伝送リソースの位置を指示することに用いられ、
前記プロセッサは、前記メモリに格納されているプログラムまたはデータを呼び出して実行することによって、
前記第１周期の配置情報および第１指示情報に基づいて、アップリンク伝送に利用可能な時間領域伝送リソースがあるかを特定し、またはアップリンク伝送に利用可能な時間領域伝送リソースの位置を特定することに用いられる端末。
【請求項４３】
搬送波に対して配置されたフレーム周期またはアップリンク伝送の発生周期である第１周期の配置情報、および、アップリンク伝送に利用可能な時間領域伝送リソースが前記第１周期内に存在するかを指示し、そして存在する場合、前記アップリンク伝送に利用可能な時間領域伝送リソースの位置を指示することに用いられる第１指示情報を、放送情報によって端末に送信するステップを実現する指令が格納されているコンピュータ読取可能な記憶媒体。
【請求項４４】
ネットワーク側から放送情報によって送信される第１周期の配置情報および第１指示情報を受信するステップと、
搬送波に対して配置されたフレーム周期またはアップリンク伝送の発生周期である前記第１周期の配置情報、およびアップリンク伝送に利用可能な時間領域伝送リソースが前記第１周期内に存在するかを指示し、そして存在する場合、前記アップリンク伝送に利用可能な時間領域伝送リソースの位置を指示することに用いられる前記第１指示情報に基づいて、アップリンク伝送に利用可能な時間領域伝送リソースがあるかを特定し、またはアップリンク伝送に利用可能な時間領域伝送リソースの位置を特定するステップを実現する指令が格納されているコンピュータ読取可能な記憶媒体。
【発明の詳細な説明】
【技術分野】
【０００１】
本願は、２０１６年８月１２日に中国特許庁に提出された中国特許出願２０１６１０６６４２８９．６の優先権を主張し、その全ての内容が援用により本願に取り込まれる。
【０００２】
本開示は、移動通信技術分野に係り、具体的にフレーム構造の配置方法、ネットワーク側機器および端末に係る。
【背景技術】
【０００３】
関連技術のＬＴＥ  ＴＤＤシステムで用いられるフレーム構造は、図１に示されている。ＴＤＤシステムのアップリンク／ダウンリンク伝送において、同一周波数の異なるサブフレームまたは異なるタイムスロットが用いられる。図１では、１０ｍｓの各無線フレームは、２つの５ｍｓのハーフフレームから構成され、各ハーフフレームに５つの１ｍｓのサブフレームが含まれる。図１でのサブフレームは、ダウンリンクサブフレーム、アップリンクサブフレームおよびスペシャルサブフレームの３種類に分けられ、各スペシャルサブフレームがＤｗＰＴＳ（Ｄｏｗｎｌｉｎｋ  Ｐｉｌｏｔ  Ｔｉｍｅ  Ｓｌｏｔ）、アップリンク／ダウンリンクＧＰ（Ｇｕａｒｄ  Ｐｅｒｉｏｄ）およびＵｐＰＴＳ（Ｕｐｌｉｎｋ  Ｐｉｌｏｔ  Ｔｉｍｅ  Ｓｌｏｔ）の３部分からなる。各ハーフフレームには、少なくとも１つのダウンリンクサブフレーム、少なくとも１つのアップリンクサブフレームおよび最多で１つのスペシャルサブフレームが含まれる。
【０００４】
関連技術において、ＬＴＥ  ＴＤＤシステムではアップリンク／ダウンリンクタイムスロット配置（例えば下記表１の３ＧＰＰ  ＴＳ３６．２１１  Ｔａｂｌｅ４．２−２）およびセル半径を主要設計要素とするＧＰ配置（例えば下記表２の３ＧＰＰ  ＴＳ３６．２１１  Ｔａｂｌｅ４．２−１）が予め定義されている。
【０００５】
【表１】
2019531622.tif 000003
【０００６】
【表２】
2019531622.tif 000004
【０００７】
表１、２によれば、５ｍｓで繰り返すパターンを例とすると、通常の場合では、まず１つのノーマルのダウンリンクサブフレームがあり、それから完全ではないダウンリンクサブフレームがあり、続いてＧＰであり、その後にアップリンク伝送サブフレームまたはシンボルであり、それからアップリンクサブフレームの後にまたダウンリンクサブフレームである可能性がある。簡単に言うと、５ｍｓ内でダウンリンク−アップリンク−ダウンリンクの２回の切り替えが行われ、しかもＧＰの長さは、柔軟に設定されていないため、調整されにくい。ＴＤ−ＬＴＥの現在のネットワークにおいて、既にＧＰの長さが足りないという問題に直面しており、深刻なリモート側基地局の干渉問題が生じている。これに基づいて、新規のフレーム構造を導入してシステム配置の柔軟性を高めることを考慮する必要がある。
【発明の概要】
【発明が解決しようとする課題】
【０００８】
本開示の実施例の解決しようとする技術課題は、フレーム構造の配置方法、ネットワーク側機器および端末を提供することによって、システムのフレーム構造を柔軟に配置することである。
【課題を解決するための手段】
【０００９】
上記技術課題を解決するために、本開示の実施例のフレーム構造の配置方法において、搬送波に対して配置されたフレーム周期またはアップリンク伝送の発生周期である第１周期の配置情報、および、アップリンク伝送に利用可能な時間領域伝送リソースが前記第１周期内に存在するかを指示し、そして存在する場合、前記アップリンク伝送に利用可能な時間領域伝送リソースの位置を指示することに用いられる第１指示情報を、ネットワーク側から放送情報によって端末に送信することを含む。
【００１０】
本開示の実施例の別のフレーム構造の配置方法において、端末が、ネットワーク側から放送情報によって送信される第１周期の配置情報および第１指示情報を受信することと、端末が、搬送波に対して配置されたフレーム周期またはアップリンク伝送の発生周期である前記第１周期の配置情報、およびアップリンク伝送に利用可能な時間領域伝送リソースが前記第１周期内に存在するかを指示し、そして存在する場合、前記アップリンク伝送に利用可能な時間領域伝送リソースの位置を指示することに用いられる前記第１指示情報に基づいて、アップリンク伝送に利用可能な時間領域伝送リソースがあるかを特定し、またはアップリンク伝送に利用可能な時間領域伝送リソースの位置を特定することとを含む。
【００１１】
本開示の実施例のネットワーク側機器は、搬送波に対して配置されたフレーム周期またはアップリンク伝送の発生周期である第１周期の配置情報、および、アップリンク伝送に利用可能な時間領域伝送リソースが前記第１周期内に存在するかを指示し、そして存在する場合、前記アップリンク伝送に利用可能な時間領域伝送リソースの位置を指示することに用いられる第１指示情報を、放送情報によって端末に送信することに用いられる第１送信ユニットを含む。
【００１２】
本開示の実施例の端末は、ネットワーク側から放送情報によって送信される第１周期の配置情報および第１指示情報を受信することに用いられる第１受信ユニットと、搬送波に対して配置されたフレーム周期またはアップリンク伝送の発生周期である前記第１周期の配置情報、およびアップリンク伝送に利用可能な時間領域伝送リソースが前記第１周期内に存在するかを指示し、そして存在する場合、前記アップリンク伝送に利用可能な時間領域伝送リソースの位置を指示することに用いられる前記第１指示情報に基づいて、アップリンク伝送に利用可能な時間領域伝送リソースがあるかを特定し、またはアップリンク伝送に利用可能な時間領域伝送リソースの位置を特定することに用いられる第１特定ユニットとを含む。
【００１３】
本開示の実施例のネットワーク側機器は、プロセッサと、メモリと、送信機を含む。前記プロセッサは、前記メモリに格納されているプログラムまたはデータを呼び出して実行することによって、搬送波に対して配置されたフレーム周期またはアップリンク伝送の発生周期である第１周期の配置情報、および、アップリンク伝送に利用可能な時間領域伝送リソースが前記第１周期内に存在するかを指示し、そして存在する場合、前記アップリンク伝送に利用可能な時間領域伝送リソースの位置を指示することに用いられる第１指示情報を生成することに用いられる。送信機は、前記第１周期の配置情報および前記第１指示情報を放送情報によって端末に送信することに用いられる。
【００１４】
本開示の実施例の端末は、プロセッサと、メモリと、受信機を含む。前記受信機は、ネットワーク側機器から放送情報によって送信される第１周期の配置情報および第１指示情報を受信することに用いられる。前記第１周期は、搬送波に対して配置されたフレーム周期またはアップリンク伝送の発生周期である。前記第１指示情報は、アップリンク伝送に利用可能な時間領域伝送リソースが前記第１周期内に存在するかを指示し、そして存在する場合、前記アップリンク伝送に利用可能な時間領域伝送リソースの位置を指示することに用いられる。前記プロセッサは、前記メモリに格納されているプログラムまたはデータを呼び出して実行することによって、前記第１周期の配置情報および第１指示情報に基づいて、アップリンク伝送に利用可能な時間領域伝送リソースがあるかを特定し、またはアップリンク伝送に利用可能な時間領域伝送リソースの位置を特定することに用いられる。
【００１５】
本開示の実施例のコンピュータ読取可能な記憶媒体には、搬送波に対して配置されたフレーム周期またはアップリンク伝送の発生周期である第１周期の配置情報、および、アップリンク伝送に利用可能な時間領域伝送リソースが前記第１周期内に存在するかを指示し、そして存在する場合、前記アップリンク伝送に利用可能な時間領域伝送リソースの位置を指示することに用いられる第１指示情報を、放送情報によって端末に送信するステップを実現する指令が格納されている。
【００１６】
本開示の実施例のコンピュータ読取可能な記憶媒体には、ネットワーク側から放送情報によって送信される第１周期の配置情報および第１指示情報を受信するステップと、搬送波に対して配置されたフレーム周期またはアップリンク伝送の発生周期である前記第１周期の配置情報、およびアップリンク伝送に利用可能な時間領域伝送リソースが前記第１周期内に存在するかを指示し、そして存在する場合、前記アップリンク伝送に利用可能な時間領域伝送リソースの位置を指示することに用いられる前記第１指示情報に基づいて、アップリンク伝送に利用可能な時間領域伝送リソースがあるかを特定し、またはアップリンク伝送に利用可能な時間領域伝送リソースの位置を特定するステップを実現する指令が格納されている。
【発明の効果】
【００１７】
本開示の実施例のフレーム構造の配置方法、ネットワーク側機器および端末によれば、アップリンク／ダウンリンクサービスのリクエストに適応するために、アップリンク／ダウンリンク伝送リソースが柔軟に調整され、１つまたは複数の特定のアップリンク／ダウンリンク配置およびＧＰ配置に制限されなくなる。また、本開示の実施例は、ネットワーク干渉のリクエストに適応するＧＰの長さを柔軟に配置することもできる。
【図面の簡単な説明】
【００１８】
【図１】図１は、関連技術のＬＴＥ  ＴＤＤシステムで用いられるフレーム構造図である。
【図２】図２は、本開示の実施例で用いられるフレーム構造を示す。
【図３】図３は、本開示の実施例のフレーム構造の配置方法のフローチャートである。
【図４】図４は、本開示の実施例で用いられる別のフレーム構造を示す。
【図５】図５は、本開示の実施例のフレーム構造の配置方法の別のフローチャートである。
【図６】図６は、本開示の実施例のネットワーク側機器の構造図である。
【図７】図７は、本開示の実施例の端末の構造図である。
【発明を実施するための形態】
【００１９】
本開示の解決しようとする技術課題、技術手段及び利点をより明確にするために、以下、図面および具体的な実施例を参照して詳細に記載する。以下の記載において、具体的な配置や配置部品の特定な細部を記載しているが、それは、単に本開示の実施例を全面的に理解してもらうための補助的なものである。したがって、当業者にとって、ここで記載されている実施例に対し、本開示の範囲と趣旨から逸脱することなく、様々な変更や修正を行うことができることは、明白である。また、明確化と簡素化を図り、知られている機能と構造に関する記載を省略した。
【００２０】
なお、明細書の全文にわたって言及されている「１つの実施例」や「一実施例」とは、実施例に関連する特定の特徴、構造または特性が本発明の少なくとも１つの実施例に含まれることを意味する。従って、明細書の各箇所に記載されている「１つの実施例において」や「一実施例において」とは、必ずしも同一の実施例を指すとは限らない。また、これらの特定の特徴、構造または特性は、任意かつ適切な方式で１つまたは複数の実施例に組み入れられることができる。
【００２１】
本開示の各実施例において、下記各プロセスの番号の大きさは、実行順の前後を意味するのではなく、各プロセスの実行順は、その機能および内在的な論理によって確定されるものであり、本開示の実施例の実施プロセスに対しいっさい限定を配置しないと理解すべきである。
【００２２】
また、本文において、「システム」と「ネットワーク」は、常に互換して使用することができる。
【００２３】
本文において、「および／または」との用語は、関連対象の関連関係を表現するものに過ぎず、存在可能な３種類の関係を示す。例えば、Ａおよび／またはＢの場合、Ａのみ、ＡとＢの両方、Ｂのみの３種類の場合を示す。また、本文において、「／」の記号は、通常、前後の関連対象が「または」の関係であることを示す。
【００２４】
本願で提供される実施例において、「Ａに対応するＢ」とは、ＢとＡが関連付けられることを示し、Ａに基づいてＢを確定することができる。なお、Ａに基づいてＢを確定することは、Ａのみに基づいてＢを確定するという意味ではなく、Ａおよび／または他の情報に基づいてＢを確定するのもよい。
【００２５】
本開示の実施例において、前記基地局は、形態が限定されず、マクロ基地局（Ｍａｃｒｏ  Ｂａｓｅ  Ｓｔａｔｉｏｎ）、ピコ基地局（Ｐｉｃｏ  Ｂａｓｅ  Ｓｔａｔｉｏｎ）、Ｎｏｄｅ  Ｂ（３Ｇモバイル基地局の呼称）、強化型基地局（ｅＮＢ）、家庭強化型基地局（Ｆｅｍｔｏ  ｅＮＢまたはＨｏｍｅ  ｅＮｏｄｅ  ＢまたはＨｏｍｅ  ｅＮＢまたはＨｅＮＢ）、中継局、アクセスポイント、ＲＲＵ（Ｒｅｍｏｔｅ  Ｒａｄｉｏ  Ｕｎｉｔ）、ＲＲＨ（Ｒｅｍｏｔｅ  Ｒａｄｉｏ  Ｈｅａｄ）などである。前記端末は、モバイル電話（または携帯電話）や、無線信号の送受信が可能な機器であり、ユーザ機器（ＵＥ）、パーソナルデジタルアシスタント（ＰＤＡ）、無線モデム、無線通信装置、ハンドヘルドデバイス、ラップトップコンピュータ、コードレス電話、無線ローカルループ（ＷＬＬ）局、移動信号をＷｉＦｉ信号に変換可能なＣＰＥ（Ｃｕｓｔｏｍｅｒ  Ｐｒｅｍｉｓｅ  Ｅｑｕｉｐｍｅｎｔ）やモバイルワイファイホットスポット、スマート家電、またはそれ以外の人の操作によらずに自発的に移動通信ネットワークと通信可能な機器などが含まれる。
【００２６】
本開示の実施例は、新規のフレーム構造を提供し、それに対応してネットワーク側と端末側のフレーム構造の配置方法を提供する。本開示の実施例のフレーム構造において、各フレーム周期に最多で１つの伝送方向のスイッチポイントを含み、しかも当該スイッチポイントの切り替え方向として、ダウンリンク伝送からアップリンク伝送に切り替えられる。各フレーム周期には、１つまたは複数のシンボルを含む時間領域伝送粒度を複数含み、各シンボルが時間領域伝送リソースに該当する。各時間領域伝送粒度の長さは、同一であってもよく、各時間領域伝送粒度に含まれるシンボルの数も同一であってもよい。各フレーム周期に最多で１つの伝送方向のスイッチポイントを含むため、フレーム周期内にアップリンク伝送の時間領域伝送リソースが存在する場合、フレーム周期内の最後の時間領域伝送粒度のうち、少なくとも最後のシンボルは、常にアップリンク伝送に用いられる。
【００２７】
１つの実現方式として、前記第１周期内は、すべてアップリンク伝送であるかすべてダウンリンク伝送である。例えば、すべてダウンリンク伝送である場合、前記第１指示情報は、さらに、前記第１周期の時間領域リソースの全てがアップリンク伝送に利用可能であると指示ことに用いられる。
【００２８】
通常、第１周期内のアップリンク伝送に利用可能な時間領域伝送リソースは、放送情報のうちの第１指示情報によって半静的に配置される。アップリンク伝送に利用可能な時間領域伝送リソースを変更する必要があれば、第１指示情報の指示内容を変更することによってアップリンク伝送リソースの変更を指示する。したがって、前記第１指示情報に変更が生じる前の時間内では、前記第１周期内のアップリンク伝送に利用可能な時間領域伝送リソースは、常に一定であり、すべてアップリンク伝送のみに用いられる。
【００２９】
また、本開示の実施例のフレーム周期の長さも、必要に応じて調整されてもよい。すなわち、フレーム周期の長さは、一定でなくてもよい。例えば、第１指示情報の変更によって実現される。しかし、連続Ｎ個の同一長さであるフレーム周期が存在するのであれば、これらのフレーム周期のスイッチポイントの位置または前記アップリンク伝送に利用可能な時間領域伝送リソースの各周期内の位置は、同一である。
【００３０】
図２には、本開示の実施例のフレーム構造が示されている。図２に示すフレーム構造において、１つのフレーム周期に５つの時間領域伝送粒度を含み、各時間領域伝送粒度に１４個のシンボルを含む。ここのシンボルは、具体的にＯＦＤＭシンボルまたはＳＣ−ＦＤＭＡシンボルである。図２では、各時間領域伝送粒度での矢印の方向は、当該時間領域粒度に対応する時間領域伝送リソースの伝送方向を示す。前から３つの時間領域伝送粒度の伝送方向がダウンリンクであり、最後２つの時間領域伝送粒度の伝送方向がアップリンクであり、すなわち、各フレーム周期内に最多で１つの伝送方向のスイッチポイントを含むことが分かる。
【００３１】
図３に示す本開示の実施例のフレーム構造の配置方法は、ネットワーク側に応用され、具体的に基地局に応用される場合、下記ステップを含む。
【００３２】
ステップ３１において、ネットワーク側は、第１周期および第１指示情報を特定する。前記第１周期は、搬送波に対して配置されたフレーム周期またはアップリンク伝送の発生周期である。前記第１指示情報は、アップリンク伝送に利用可能な時間領域伝送リソースが前記第１周期内に存在するかを指示し、そして存在する場合、前記アップリンク伝送に利用可能な時間領域伝送リソースの位置を指示することに用いられる。
【００３３】
ここで、第１周期は、図２に示すフレーム周期であってもよい。この場合、第１周期の配置情報は、フレーム周期の長さであってもよい。第１周期は、アップリンク伝送の発生周期であってもよい。アップリンク伝送の発生周期とは、連続的なアップリンク伝送が一回発生する周期である。この場合、第１周期の配置情報は、直接的な周期情報でなくてもよく、所定の周期に基づいて定義されるほかの情報である。
【００３４】
図４に示す本開示の実施例で用いられる別のフレーム構造において、仮にフレーム周期に１０つの時間領域伝送粒度を含み、前記アップリンク伝送の発生周期が各フレーム周期で周期的なものであり、各アップリンク伝送の発生周期におけるスイッチポイントの位置が同一であるとすれば、各フレーム周期には、２つの前記アップリンク伝送の発生周期を含む。この場合、前記第１周期の配置情報は、アップリンク伝送の発生周期の長さであり、すなわち５つの時間領域伝送粒度である。図４に示すフレーム構造は、実際に図２に示す２つのフレーム構造からなることが分かる。
【００３５】
また、ネットワーク側と端末とは既にフレーム周期の長さを予め取り決めており、かつ前記アップリンク伝送の発生周期が各フレーム周期で周期的なものであり、各アップリンク伝送の発生周期におけるスイッチポイントの位置が同一であるとすれば、前記第１周期の配置情報は、各フレーム周期内のスイッチポイントの数であってもよい。例えば、図４の場合、その数は、２であり、長さが１０つの時間領域伝送粒度であるフレーム周期内に２つのスイッチポイントがあることを示す。これに基づいて、端末は、前記アップリンク伝送の発生周期が５つの時間領域伝送粒度であると特定できる。
【００３６】
ここで、前記第１指示情報は、アップリンク伝送に利用可能な時間領域伝送リソースが前記第１周期内に存在するかを指示し、そして存在する場合、前記アップリンク伝送に利用可能な時間領域伝送リソースの位置を指示することに用いられる。具体的に、前記アップリンク伝送に利用可能な時間領域伝送リソースの位置を指示する際に、多種類の実現方式が用いられる。そのうちの１つの実現方式として、フレーム周期内のアップリンク伝送の時間領域伝送リソースの開始位置を指示することである。当該開始位置は、絶対的位置または相対的位置である。ここで、絶対的位置は、時間領域伝送粒度の番号、シンボル番号、または、時間領域伝送粒度の番号とシンボル番号との組み合わせによって示される。例えば、開始位置は、フレーム周期内の３つ目の時間領域伝送粒度であり、または、フレーム周期内の４３つ目のシンボルであり、または、フレーム周期内の３つ目の時間領域伝送粒度の４つ目のシンボルであり、この場合（３，４）として示される。ここで、相対的位置は、所定の時間領域位置からのオフセットとして示され、例えば、フレーム周期の終了時刻からのオフセットである。
【００３７】
ここで、ネットワーク側は、アップリンク／ダウンリンクサービス伝送のデータ量に応じて、前記第１周期の長さおよび前記第１周期内のアップリンク伝送に用いられる時間領域伝送リソースを柔軟に配置し、さらに、リモート側基地局の干渉要素に基づいて、第１周期内のアップリンク／ダウンリンクガード区間（ＧＰ）の長さを柔軟に配置することができる。
【００３８】
ステップ３２において、ネットワーク側は、第１周期の配置情報および第１指示情報を放送情報によって端末に送信する。
【００３９】
ここで、ネットワーク側は、第１周期の配置情報および第１指示情報を放送情報によって端末に送信することによって、第１周期の関連配置および第１周期内のアップリンク伝送に利用可能な時間領域伝送リソースを端末に知らせる。具体的に、放送情報は、放送チャネルによって送信され、例えばＬＴＥのＰＢＣＨ（Ｐｈｙｓｉｃａｌ  Ｂｒｏａｄｃａｓｔ  Ｃｈａｎｎｅｌ）ＭＩＢ（Ｍａｓｔｅｒ  Ｉｎｆｏｒｍａｔｉｏｎ  Ｂｌｏｃｋ）のようなメッセージによって放送する。
【００４０】
以上のステップによって、本開示の実施例は、フレーム周期を柔軟に配置する方法を実現する。当該方法によって、本開示の実施例において、アップリンク／ダウンリンクサービスのリクエストに適応するために、アップリンク／ダウンリンク伝送リソースが柔軟に調整され、１種または多種の特定アップリンク／ダウンリンク配置およびＧＰ配置に制限されなくなる。また、本開示の実施例は、ネットワーク干渉排除のリクエストに適応するＧＰの長さを柔軟に配置することもできる。
【００４１】
本開示の実施例において、前記第１周期内にダウンリンク伝送が存在する場合、前記第１周期には、同期信号の伝送に用いられる時間領域伝送リソースを含み、かつ同期信号が位置する第１時間領域伝送粒度は、所定のダウンリンク伝送に用いられる時間領域伝送粒度である。ここで、前記第１時間領域伝送粒度は、前記第１周期内の１つ目の時間領域伝送粒度である。上記方法において、ネットワーク側は、さらに前記第１時間領域伝送粒度で同期信号を送信する。
【００４２】
１つの実現方式として、前記第１周期内で、前記第１時間領域伝送粒度の終了時刻からアップリンク伝送の開始時刻までの時間領域伝送リソースは、ダウンリンク伝送リソース、アイドル伝送リソースおよびアップリンク／ダウンリンクガード区間のうちの少なくとも１つを含む。ここで、アイドル伝送リソースは、自端末の伝送に用いられないが、ほかの端末の伝送に用いられるリソースである。アップリンク／ダウンリンクガード区間は、当該区間に対応するリソースがどのような伝送にも用いられないことを示す。
【００４３】
以上のステップによって、前記第１周期およびアップリンク伝送リソースを配置することができる。さらにダウンリンク伝送リソースの配置を指示するために、本開示の実施例の上記方法において、ネットワーク側から専用シグナリングによって第２指示情報を端末に送信する。前記第２指示情報は、前記第１周期のうち、前記第１時間領域伝送粒度とアップリンク伝送に利用可能な時間領域伝送リソースを除いた他の時間領域伝送リソースがダウンリンク伝送に用いられるかを指示することに用いられる。ここで、ネットワーク側は、ＲＲＣシグナリングのような方式で、ダウンリンク伝送リソースの情報を端末に通知する。
【００４４】
具体的に、前記第２指示情報は、前記他の時間領域伝送リソースのうち、ダウンリンク伝送に用いられる時間領域伝送リソースの絶対的時間領域位置情報または相対的時間領域位置情報を指示することに用いられる。前記絶対的時間領域位置情報は、時間領域伝送粒度の番号、シンボル番号、または、時間領域伝送粒度の番号とシンボル番号との組み合わせである。前記相対的時間領域位置情報は、所定の時間領域位置からのオフセットである。
【００４５】
以上のステップによって、本開示の実施例は、さらに、ダウンリンク伝送リソースを配置して通知することができる。放送情報の方式でアップリンク伝送リソースを通知することによって、システムシグナリングのコストを低減することができる。また、専用シグナリングの方式でダウンリンク伝送リソースを通知することによって、端末のスケジューリングの柔軟性を増すことができる。
【００４６】
図５に示すように、本開示の実施例のフレーム構造の配置方法は、端末側に応用される場合、下記ステップを含む。
【００４７】
ステップ５１において、端末は、ネットワーク側から放送情報によって送信される第１周期の配置情報および第１指示情報を受信する。前記第１周期は、搬送波に対して配置されたフレーム周期またはアップリンク伝送の発生周期である。前記第１指示情報は、アップリンク伝送に利用可能な時間領域伝送リソースが前記第１周期内に存在するかを指示し、そして存在する場合、前記アップリンク伝送に利用可能な時間領域伝送リソースの位置を指示することに用いられる。
【００４８】
ステップ５２において、端末は、第１周期の配置情報および第１指示情報に基づいて、アップリンク伝送に利用可能な時間領域伝送リソースがあるかを特定し、またはアップリンク伝送に利用可能な時間領域伝送リソースの位置を特定する。
【００４９】
上述のように、前記第１周期は、１つまたは複数のシンボルを含む時間領域伝送粒度を複数含む。アップリンク伝送に利用可能な時間領域伝送リソースが前記第１周期内に存在する場合、前記第１周期は、最多で１つの伝送方向のスイッチポイントを含み、かつ前記スイッチポイントの切り替え方向として、ダウンリンク伝送からアップリンク伝送に切り替えられる。また、連続Ｎ個の前記第１周期で、前記第１周期内の前記スイッチポイントの位置は、同一である。
【００５０】
１つの実現方式として、前記第１周期内は、すべてアップリンク伝送であるかすべてダウンリンク伝送である。例えば、すべてアップリンク伝送である場合、前記第１指示情報は、さらに、前記第１周期の時間領域リソースの全てがアップリンク伝送に利用可能であると指示ことに用いられる。
【００５１】
通常、第１周期内のアップリンク伝送に利用可能な時間領域伝送リソースは、放送情報のうちの第１指示情報によって半静的に配置される。アップリンク伝送に利用可能な時間領域伝送リソースを変更する必要があれば、第１指示情報の指示内容を変更することによってアップリンク伝送リソースの変更を指示する。したがって、前記第１指示情報に変更が生じる前の時間内では、前記第１周期内のアップリンク伝送に利用可能な時間領域伝送リソースは、常に一定であり、すべてアップリンク伝送のみに用いられる。
【００５２】
ここで、前記第１周期内には、同期信号の伝送に用いられる時間領域伝送リソースを含み、かつ同期信号が位置する第１時間領域粒度は、所定のダウンリンク伝送に用いられる時間領域伝送粒度である。通常、前記第１時間領域伝送粒度は、前記第１周期内の１つ目の時間領域伝送粒度である。前記第１周期内で、前記第１時間領域伝送粒度の終了時刻からアップリンク伝送の開始時刻までの時間領域伝送リソースは、ダウンリンク伝送リソース、アイドル伝送リソースおよびアップリンク／ダウンリンクガード区間のうちの少なくとも１つを含む。
【００５３】
以上の方法において、前記端末は、さらに、ネットワーク側から専用シグナリングによって送信される第２指示情報を受信する。前記第２指示情報は、前記第１周期のうち、前記第１時間領域伝送粒度を除いた他の時間領域伝送リソースがダウンリンク伝送に用いられるかを指示することに用いられる。前記端末は、前記第２指示情報に基づいて、ダウンリンク伝送に用いられる時間領域伝送リソースを特定し、前記ダウンリンク伝送に用いられる時間領域伝送リソースで伝送される情報を受信する。
【００５４】
ここで、前記第２指示情報は、具体的に、前記他の時間領域伝送リソースのうち、ダウンリンク伝送に用いられる時間領域伝送リソースの絶対的時間領域位置情報または相対的時間領域位置情報を指示することに用いられる。前記絶対的時間領域位置情報は、時間領域伝送粒度の番号、シンボル番号、または、時間領域伝送粒度の番号とシンボル番号との組み合わせである。前記相対的時間領域位置情報は、所定の時間領域位置からのオフセットである。
【００５５】
以上の方法に基づいて、本開示の実施例は、上記方法を実現する機器をさらに提供する。図６に示す本開示の実施例のネットワーク側機器は、具体的に基地局またはほかのネットワーク側ノードであり、例えば伝送ポイントなどの機器である。図６に示すように、当該ネットワーク側機器６０は、搬送波に対して配置されたフレーム周期またはアップリンク伝送の発生周期である第１周期の配置情報、および、アップリンク伝送に利用可能な時間領域伝送リソースが前記第１周期内に存在するかを指示し、そして存在する場合、前記アップリンク伝送に利用可能な時間領域伝送リソースの位置を指示することに用いられる第１指示情報を、放送情報によって端末に送信することに用いられる第１送信ユニット６１を含む。
【００５６】
ここで、前記第１周期は、１つまたは複数のシンボルを含む時間領域伝送粒度を複数含む。アップリンク伝送に利用可能な時間領域伝送リソースが前記第１周期内に存在する場合、前記第１周期は、最多で１つの伝送方向のスイッチポイントを含み、かつ前記スイッチポイントの切り替え方向として、ダウンリンク伝送からアップリンク伝送に切り替えられる。連続Ｎ個の前記第１周期で、前記スイッチポイントまたは前記アップリンク伝送に利用可能な時間領域伝送リソースの前記第１周期内の位置は、同一である。
【００５７】
１つの実現方式として、前記第１周期内は、すべてアップリンク伝送であるかすべてダウンリンク伝送である。例えば、すべてダウンリンク伝送である場合、前記第１指示情報は、さらに、前記第１周期の時間領域リソースの全てがアップリンク伝送に利用可能であると指示ことに用いられる。
【００５８】
通常、第１周期内のアップリンク伝送に利用可能な時間領域伝送リソースは、放送情報のうちの第１指示情報によって半静的に配置される。アップリンク伝送に利用可能な時間領域伝送リソースを変更する必要があれば、第１指示情報の指示内容を変更することによってアップリンク伝送リソースの変更を指示する。したがって、前記第１指示情報に変更が生じる前の時間内では、前記第１周期内のアップリンク伝送に利用可能な時間領域伝送リソースは、常に一定であり、すべてアップリンク伝送のみに用いられる。
【００５９】
また、前記第１周期内にダウンリンク伝送が存在する場合、第１時間領域伝送粒度は、ダウンリンク伝送に用いられる時間領域伝送粒度であり、かつ第１時間領域粒度には、同期信号の伝送に用いられる伝送リソースを含む。通常、前記第１時間領域伝送粒度は、前記第１周期内の１つ目の時間領域伝送粒度である。このように、前記第１周期内で、前記第１時間領域伝送粒度の終了時刻からアップリンク伝送の開始時刻までの時間領域伝送リソースは、ダウンリンク伝送リソース、アイドル伝送リソースおよびアップリンク／ダウンリンクガード区間のうちの少なくとも１つを含む。
【００６０】
上記ネットワーク側機器６０は、専用シグナリングによって端末に第２指示情報を送信することに用いられる第２送信ユニット６２をさらに含むことが好ましい。前記第２指示情報は、前記第１周期のうち、前記第１時間領域伝送粒度とアップリンク伝送に利用可能な時間領域伝送リソースを除いた他の時間領域伝送リソースがダウンリンク伝送に用いられるかを指示することに用いられる。
【００６１】
ここで、前記第２指示情報は、具体的に、前記他の時間領域伝送リソースのうち、ダウンリンク伝送に用いられる時間領域伝送リソースの絶対的時間領域位置情報または相対的時間領域位置情報を指示することに用いられる。前記絶対的時間領域位置情報は、時間領域伝送粒度の番号、シンボル番号、または、時間領域伝送粒度の番号とシンボル番号との組み合わせである。前記相対的時間領域位置情報は、所定の時間領域位置からのオフセットである。
【００６２】
本開示の実施例は、プロセッサと、バスインタフェースを介して前記プロセッサに接続され、前記プロセッサによる操作実行に用いられるプログラムとデータを記憶することに用いられるメモリと、バスインタフェースを介してプロセッサに接続される送信機を含むネットワーク側機器をさらに提供する。プロセッサは、前記メモリに格納されているプログラムとデータを呼び出して実行することによって、第１周期の配置情報および第１指示情報を生成することに用いられる。送信機は、プロセッサによって生成された第１周期の配置情報および第１指示情報を放送情報によって端末に送信することに用いられる。ここで、第１周期は、搬送波に対して配置されたフレーム周期またはアップリンク伝送の発生周期である。前記第１指示情報は、アップリンク伝送に利用可能な時間領域伝送リソースが前記第１周期内に存在するかを指示し、そして存在する場合、前記アップリンク伝送に利用可能な時間領域伝送リソースの位置を指示することに用いられる。
【００６３】
具体的な実施例は、以上の記載を参照されたく、ここでは繰り返して記載しない。
【００６４】
図７に示す本開示の実施例の端末７０は、ネットワーク側から放送情報によって送信される第１周期の配置情報および第１指示情報を受信することに用いられる第１受信ユニット７１と、搬送波に対して配置されたフレーム周期またはアップリンク伝送の発生周期である前記第１周期の配置情報、およびアップリンク伝送に利用可能な時間領域伝送リソースが前記第１周期内に存在するかを指示し、そして存在する場合、前記アップリンク伝送に利用可能な時間領域伝送リソースの位置を指示することに用いられる前記第１指示情報に基づいて、アップリンク伝送に利用可能な時間領域伝送リソースがあるかを特定し、またはアップリンク伝送に利用可能な時間領域伝送リソースの位置を特定することに用いられる第１特定ユニット７２とを含む。
【００６５】
ここで、前記第１周期は、１つまたは複数のシンボルを含む時間領域伝送粒度を複数含む。アップリンク伝送に利用可能な時間領域伝送リソースが前記第１周期内に存在する場合、前記第１周期は、最多で１つの伝送方向のスイッチポイントを含み、かつ前記スイッチポイントの切り替え方向として、ダウンリンク伝送からアップリンク伝送に切り替えられる。また、連続Ｎ（整数）個の前記第１周期で、前記スイッチポイントまたは前記アップリンク伝送に利用可能な時間領域伝送リソースの前記第１周期内の位置は、同一である。
【００６６】
１つの実現方式として、前記第１周期内は、すべてアップリンク伝送であるかすべてダウンリンク伝送である。例えば、すべてダウンリンク伝送である場合、前記第１指示情報は、さらに、前記第１周期の時間領域リソースの全てがアップリンク伝送に利用可能であると指示ことに用いられる。
【００６７】
通常、第１周期内のアップリンク伝送に利用可能な時間領域伝送リソースは、放送情報のうちの第１指示情報によって半静的に配置される。アップリンク伝送に利用可能な時間領域伝送リソースを変更する必要があれば、第１指示情報の指示内容を変更することによってアップリンク伝送リソースの変更を指示する。したがって、前記第１指示情報に変更が生じる前の時間内では、前記第１周期内のアップリンク伝送に利用可能な時間領域伝送リソースは、常に一定であり、すべてアップリンク伝送のみに用いられる。
【００６８】
また、前記第１周期内には、同期信号の伝送に用いられる伝送リソースを含み、かつ同期信号が位置する第１時間領域伝送粒度は、所定のダウンリンク伝送に用いられる時間領域伝送粒度である。具体的に、前記第１時間領域伝送粒度は、前記第１周期内の１つ目の時間領域伝送粒度である。この場合、前記第１周期内で、前記第１時間領域伝送粒度の終了時刻からアップリンク伝送の開始時刻までの時間領域伝送リソースは、ダウンリンク伝送リソース、アイドル伝送リソースおよびアップリンク／ダウンリンクガード区間のうちの少なくとも１つを含む。
【００６９】
さらに、上記端末は、ネットワーク側から専用シグナリングによって送信される第２指示情報を受信することに用いられる第２受信ユニットと、前記第１周期のうち、前記第１時間領域伝送粒度を除いた他の時間領域伝送リソースがダウンリンク伝送に用いられるかを指示することに用いられる前記第２指示情報に基づいて、ダウンリンク伝送に用いられる時間領域伝送リソースを特定し、前記ダウンリンク伝送に用いられる時間領域伝送リソースで伝送される情報を受信することに用いられる第２特定ユニットとをさらに含んでもよい。
【００７０】
ここで、前記第２指示情報は、具体的に、前記他の時間領域伝送リソースのうち、ダウンリンク伝送に用いられる時間領域伝送リソースの絶対的時間領域位置情報または相対的時間領域位置情報を指示することに用いられる。前記絶対的時間領域位置情報は、時間領域伝送粒度の番号、シンボル番号、または、時間領域伝送粒度の番号とシンボル番号との組み合わせである。前記相対的時間領域位置情報は、所定の時間領域位置からのオフセットである。
【００７１】
本開示の実施例は、プロセッサと、バスインタフェースを介して前記プロセッサに接続され、前記プロセッサによる操作実行に用いられるプログラムとデータを記憶することに用いられるメモリと、バスインタフェースを介してプロセッサに接続される受信機を含む端末をさらに提供する。受信機は、ネットワーク側機器から放送情報によって送信される第１周期の配置情報および第１指示情報を受信することに用いられる。前記第１周期は、搬送波に対して配置されたフレーム周期またはアップリンク伝送の発生周期である。前記第１指示情報は、アップリンク伝送に利用可能な時間領域伝送リソースが前記第１周期内に存在するかを指示し、そして存在する場合、前記アップリンク伝送に利用可能な時間領域伝送リソースの位置を指示することに用いられる。プロセッサは、前記メモリに格納されているプログラムまたはデータを呼び出して実行することによって、受信機によって受信された第１周期の配置情報および第１指示情報に基づいて、アップリンク伝送に利用可能な時間領域伝送リソースがあるかを特定し、またはアップリンク伝送に利用可能な時間領域伝送リソースの位置を特定することに用いられる。
【００７２】
具体的な実施例は、以上の記載を参照されたく、ここでは繰り返して記載しない。
【００７３】
以上の記載をまとめると、本開示の実施例のフレーム構造の配置方法、ネットワーク側機器および端末によれば、アップリンク／ダウンリンクサービスのリクエストに適応するために、アップリンク／ダウンリンク伝送リソースが柔軟に調整され、１つまたは複数の特定アップリンク／ダウンリンク配置およびＧＰ配置に制限されなくなる。また、本開示の実施例は、ネットワーク干渉排除のリクエストに適応するＧＰの長さを柔軟に配置することもできる。
【００７４】
以上記載されたのは、本開示の好ましい実施形態である。なお、当業者は、本開示に記載されている原理を逸脱せずに様々な改良や修飾をすることもできる。これらの改良や修飾も、本開示の保護範囲として見なされるべきである。
【符号の説明】
【００７５】
６０  ネットワーク側機器
６１  第１送信ユニット
６２  第２送信ユニット
７０  端末
７１  第１受信ユニット
７２  第１特定ユニット
【図１】
2019531622.tif 000005
【図２】
2019531622.tif 000006
【図３】
2019531622.tif 000007
【図４】
2019531622.tif 000008
【図５】
2019531622.tif 000009
【図６】
2019531622.tif 000010
【図７】
2019531622.tif 000011
【手続補正書】
【提出日】平成31年2月7日(2019.2.7)
【手続補正１】
【補正対象書類名】特許請求の範囲
【補正対象項目名】全文
【補正方法】変更
【補正の内容】
【特許請求の範囲】
【請求項１】
搬送波に対して配置されたフレーム周期またはアップリンク伝送の発生周期である第１周期の配置情報、および、アップリンク伝送に利用可能な時間領域伝送リソースが前記第１周期内に存在するかを指示し、そして存在する場合、前記アップリンク伝送に利用可能な時間領域伝送リソースの位置を指示することに用いられる第１指示情報を、ネットワーク側から放送情報によって端末に送信することを含むフレーム構造の配置方法。
【請求項２】
前記第１指示情報は、さらに、前記第１周期の時間領域リソースの全てがアップリンク伝送に利用可能であると指示ことに用いられ、
及び/或いは
前記第１指示情報に変化が生じる前に、前記アップリンク伝送に利用可能な時間領域伝送リソースは、全てアップリンク伝送のみに用いられる請求項１に記載の方法。
【請求項３】
前記第１周期は、１つまたは複数のシンボルを含む時間領域伝送粒度を複数含む請求項１に記載の方法。
【請求項４】
アップリンク伝送に利用可能な時間領域伝送リソースが前記第１周期内に存在する場合、前記第１周期は、最多で１つの伝送方向のスイッチポイントを含み、かつ前記スイッチポイントの切り替え方向として、ダウンリンク伝送からアップリンク伝送に切り替えられる請求項３に記載の方法。
【請求項５】
前記第１周期内にダウンリンク伝送が存在する場合、第１時間領域伝送粒度は、ダウンリンク伝送に用いられる時間領域伝送粒度であり、かつ第１時間領域粒度には、同期信号の伝送に用いられる伝送リソースを含み、前記第１時間領域伝送粒度は、前記第１周期内の１つ目の時間領域伝送粒度である請求項４に記載の方法。
【請求項６】
前記第１周期内で、前記第１時間領域伝送粒度の終了時刻からアップリンク伝送の開始時刻までの時間領域伝送リソースは、ダウンリンク伝送リソース、アイドル伝送リソースおよびアップリンク／ダウンリンクガード区間のうちの少なくとも１つを含む請求項５に記載の方法。
【請求項７】
前記第１周期のうち、前記第１時間領域伝送粒度とアップリンク伝送に利用可能な時間領域伝送リソースを除いた他の時間領域伝送リソースがダウンリンク伝送に用いられるかを指示することに用いられる第２指示情報を、ネットワーク側から専用シグナリングによって端末に送信することをさらに含む請求項５に記載の方法。
【請求項８】
前記第２指示情報は、具体的に、前記他の時間領域伝送リソースのうち、ダウンリンク伝送に用いられる時間領域伝送リソースの絶対的時間領域位置情報または相対的時間領域位置情報を指示することに用いられ、
前記絶対的時間領域位置情報は、時間領域伝送粒度の番号、シンボル番号、または、時間領域伝送粒度の番号とシンボル番号との組み合わせであり、
前記相対的時間領域位置情報は、所定の時間領域位置からのオフセットである請求項７に記載の方法。
【請求項９】
端末が、ネットワーク側から放送情報によって送信される第１周期の配置情報および第１指示情報を受信することと、
端末が、搬送波に対して配置されたフレーム周期またはアップリンク伝送の発生周期である前記第１周期の配置情報、およびアップリンク伝送に利用可能な時間領域伝送リソースが前記第１周期内に存在するかを指示し、そして存在する場合、前記アップリンク伝送に利用可能な時間領域伝送リソースの位置を指示することに用いられる前記第１指示情報に基づいて、アップリンク伝送に利用可能な時間領域伝送リソースがあるかを特定し、またはアップリンク伝送に利用可能な時間領域伝送リソースの位置を特定することとを含むフレーム構造の配置方法。
【請求項１０】
前記第１指示情報は、さらに、前記第１周期の時間領域リソースの全てがアップリンク伝送に利用可能であると指示ことに用いられ、
及び/或いは
前記第１指示情報に変化が生じる前に、前記アップリンク伝送に利用可能な時間領域伝送リソースは、全てアップリンク伝送のみに用いられる請求項９に記載の方法。
【請求項１１】
前記第１周期は、１つまたは複数のシンボルを含む時間領域伝送粒度を複数含む請求項９に記載の方法。
【請求項１２】
アップリンク伝送に利用可能な時間領域伝送リソースが前記第１周期内に存在する場合、前記第１周期は、最多で１つの伝送方向のスイッチポイントを含み、かつ前記スイッチポイントの切り替え方向として、ダウンリンク伝送からアップリンク伝送に切り替えられる請求項１１に記載の方法。
【請求項１３】
前記第１周期内にダウンリンク伝送が存在する場合、第１時間領域伝送粒度は、ダウンリンク伝送に用いられる時間領域伝送粒度であり、かつ第１時間領域粒度には、同期信号の伝送に用いられる伝送リソースを含み、前記第１時間領域伝送粒度は、前記第１周期内の１つ目の時間領域伝送粒度である請求項１２に記載の方法。
【請求項１４】
前記第１周期内で、前記第１時間領域伝送粒度の終了時刻からアップリンク伝送の開始時刻までの時間領域伝送リソースは、ダウンリンク伝送リソース、アイドル伝送リソースおよびアップリンク／ダウンリンクガード区間のうちの少なくとも１つを含む請求項１３に記載の方法。
【請求項１５】
前記端末が、ネットワーク側から専用シグナリングによって送信される第２指示情報を受信することと、
前記端末が、前記第１周期のうち、前記第１時間領域伝送粒度を除いた他の時間領域伝送リソースがダウンリンク伝送に用いられるかを指示することに用いられる前記第２指示情報に基づいて、ダウンリンク伝送に用いられる時間領域伝送リソースを特定し、前記ダウンリンク伝送に用いられる時間領域伝送リソースで伝送される情報を受信することとをさらに含む請求項１３に記載の方法。
【請求項１６】
前記第２指示情報は、具体的に、前記他の時間領域伝送リソースのうち、ダウンリンク伝送に用いられる時間領域伝送リソースの絶対的時間領域位置情報または相対的時間領域位置情報を指示することに用いられ、
前記絶対的時間領域位置情報は、時間領域伝送粒度の番号、シンボル番号、または、時間領域伝送粒度の番号とシンボル番号との組み合わせであり、
前記相対的時間領域位置情報は、所定の時間領域位置からのオフセットである請求項１５に記載の方法。
【請求項１７】
搬送波に対して配置されたフレーム周期またはアップリンク伝送の発生周期である第１周期の配置情報、および、アップリンク伝送に利用可能な時間領域伝送リソースが前記第１周期内に存在するかを指示し、そして存在する場合、前記アップリンク伝送に利用可能な時間領域伝送リソースの位置を指示することに用いられる第１指示情報を、放送情報によって端末に送信することに用いられる第１送信ユニットを含むネットワーク側機器。
【請求項１８】
ネットワーク側から放送情報によって送信される第１周期の配置情報および第１指示情報を受信することに用いられる第１受信ユニットと、
搬送波に対して配置されたフレーム周期またはアップリンク伝送の発生周期である前記第１周期の配置情報、およびアップリンク伝送に利用可能な時間領域伝送リソースが前記第１周期内に存在するかを指示し、そして存在する場合、前記アップリンク伝送に利用可能な時間領域伝送リソースの位置を指示することに用いられる前記第１指示情報に基づいて、アップリンク伝送に利用可能な時間領域伝送リソースがあるかを特定し、またはアップリンク伝送に利用可能な時間領域伝送リソースの位置を特定することに用いられる第１特定ユニットとを含む端末。
【国際調査報告】
2019531622.tif 000012
2019531622.tif 000013
2019531622.tif 000014
2019531622.tif 000015